(57)【要約】【課題】ユーザの使用感を向上させることができる洗面化粧台を提供する。【解決手段】洗面化粧台は、吐水ヘッド１２と、吐水ヘッド１２を保持するベース１２２と、吐水ヘッド１２への給水路を開閉する電気駆動弁を制御する制御ユニット１１４と、吐水ヘッド１２から吐水される水を受けるための洗面ボウルと、洗面ボウルより上方に設けられるキャビネットと、を備える。ベース１２２は、キャビネットに固定される。制御ユニット１１４は、ベース１２２に保持される。【選択図】図５
2020116462.tif 000002
【特許請求の範囲】
【請求項１】
吐水ヘッドと、
前記吐水ヘッドを保持するベースと、
前記吐水ヘッドへの給水路を開閉する電気駆動弁を制御する制御ユニットと、
前記吐水ヘッドから吐水される水を受けるための洗面ボウルと、
前記洗面ボウルより上方に設けられるキャビネットと、を備え、
前記ベースは、前記キャビネットに固定され、
前記制御ユニットは、前記ベースに保持されることを特徴とする洗面化粧台。
【請求項２】
吐水ヘッドと、
前記吐水ヘッドを保持するベースと、
前記吐水ヘッドへの給水路を開閉する電気駆動弁を制御する制御ユニットと、
前記吐水ヘッドから吐水される水を受けるための洗面ボウルと、
前記洗面ボウルから上方に立設されるバックガードと、を備え、
前記ベースは、前記バックガードに固定され、
前記制御ユニットは、前記ベースに保持されることを特徴とする洗面化粧台。
【請求項３】
前記制御ユニットはさらに、商用電源からの交流電力を直流電力に変換することを特徴とする請求項１または２に記載の洗面化粧台。
【請求項４】
吐水ヘッドと、
前記吐水ヘッドを保持するベースと、
前記吐水ヘッドへの給水路を開閉する電気駆動弁を制御する制御ユニットと、を備え、
前記ベースは、前記吐水ヘッドから吐水される水を受けるための洗面ボウルより上方に洗面ボウルから離間して設けられ、
前記制御ユニットは、前記ベースに保持されることを特徴とする水栓装置。
【発明の詳細な説明】
【技術分野】
【０００１】
本発明は、水栓装置および洗面化粧台に関する。
【背景技術】
【０００２】
水栓装置と、水栓装置から吐水された水を受ける洗面ボウルを有する洗面台と、洗面台の上方に設けられたミラーキャビネットと、洗面台の下方に設けられたベースキャビネットと、を備える洗面化粧台が提案されている（例えば特許文献１）。
【先行技術文献】
【特許文献】
【０００３】
【特許文献１】特開２０１０−１７４４５７号公報
【発明の概要】
【発明が解決しようとする課題】
【０００４】
特許文献１に記載されるような従来の洗面化粧台では、水栓装置の電気駆動弁を制御するための制御部が洗面台の下に設けられる。したがって、洗面台の下に設けられるベースキャビネットの収納スペースが狭くなっていた。また、ベースキャビネットに物品を収容するとき、または、ベースキャビネットから物品を取り出すときに、物品等が制御部に関する配線に引っかかり、配線が外れるおそれがあった。
【０００５】
本発明は、このような課題に鑑みてなされ、その目的は、上述の課題の少なくとも１つを解決可能な、より具体的にはユーザの使用感を向上させることができる洗面化粧台を提供することにある。
【課題を解決するための手段】
【０００６】
上記課題を解決するために、本発明のある態様の洗面化粧台は、吐水ヘッドと、吐水ヘッドを保持するベースと、吐水ヘッドへの給水路を開閉する電気駆動弁を制御する制御ユニットと、吐水ヘッドから吐水される水を受けるための洗面ボウルと、洗面ボウルより上方に設けられるキャビネットと、を備える。ベースは、キャビネットに固定され、制御ユニットは、ベースに保持される。
【発明の効果】
【０００７】
本発明によれば、ユーザの使用感を向上させることができる。
【図面の簡単な説明】
【０００８】
【図１】実施の形態に係る洗面化粧台の斜視図である。
【図２】図１の水栓装置を概略的に示す構成図である。
【図３】図１の水栓装置の透視斜視図である。
【図４】図１の水栓装置のベースとその周辺を示す斜視図である。
【図５】図１の水栓装置のベースとその周辺を示す斜視図である。
【図６】図１の水栓装置のベースとその周辺を示す上面図である。
【図７】図１の水栓装置のホースガイドとその周辺を示す斜視図である。
【図８】図１の水栓装置の透視斜視図である。
【発明を実施するための形態】
【０００９】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１０】
図１は、実施の形態に係る洗面化粧台１００を示す斜視図である。洗面化粧台１００は、洗面台１０１と、水栓装置１０と、ミラーキャビネット１０４と、ベースキャビネット１０５と、を備える。
【００１１】
ベースキャビネット１０５は、床面に設置される。ベースキャビネット１０５は、本実施の形態では２つの引出を有しており、洗面用具、化粧品、その他の物品を収容できる。
【００１２】
洗面台１０１は、ベースキャビネット１０５に載置される。洗面台１０１は、洗面ボウル１０２と、カウンター１０３と、バックガード１０６と、排水栓１０７と、を含む。洗面ボウル１０２は、水栓装置１０から吐水される水を受ける。洗面ボウル１０２には、排水口１０２ａが設けられている。排水栓１０７は、排水口１０２ａに取り付けられ、排水口１０２ａを開閉する。カウンター１０３は、本実施の形態では、洗面ボウル１０２の両サイドに設けられる。カウンター１０３には、洗面用具、化粧品、タオル、その他の物品を載置できる。バックガード１０６は、洗面ボウル１０２の後方側において洗面ボウル１０２から上方に立設される。本実施の形態では、洗面ボウル１０２、カウンター１０３およびバックガード１０６は、一体に形成される。
【００１３】
ミラーキャビネット１０４は、洗面台１０１の上方に設けられ、例えば壁面に固定される。ミラーキャビネット１０４は、収納棚１０９と、３つの収納扉１１１と、を含む。収納棚１０９には、棚板（不図示）が設けられており、洗面用具、化粧品、その他の物品を収納できる。３つの収納扉１１１は、収納棚１０９を開閉可能に覆う扉であり、その前面側に鏡が取り付けられている。
【００１４】
水栓装置１０は、ミラーキャビネット１０４と洗面ボウル１０２およびカウンター１０３との間に設けられる。水栓装置１０は、ユーザの操作または動作に応じて吐水する。
【００１５】
図２は、図１の水栓装置１０を概略的に示す構成図である。水栓装置１０は、弁ユニット１０８と、吐水ヘッド１２と、ヘッドホルダー２０と、給水管１１０と、電気駆動弁１２０と、レバー１１２と、センサ１４と、表示部１６と、制御ユニット１１４と、を備える。
【００１６】
吐水ヘッド１２は、ヘッドホルダー２０に着脱可能（引き出し可能）に保持される。吐水ヘッド１２は、給水管１１０を通じて流入した水を吐水口１２ａから、吐水させる。
【００１７】
表示部１６は、ヘッドホルダー２０に取り付けられる。表示部１６は、制御ユニット１１４からの信号に基づいて、水栓装置１０の動作状態を表示する。表示部１６は、本実施の形態では、水栓装置１０の吐水状態や温度を表示する。具体的には、表示部１６は、表示する色の違いにより温度を表示したり、光り方（点灯、点滅等）の違いにより吐水状態を表示する。
【００１８】
センサ１４は、ヘッドホルダー２０に取り付けられる。センサ１４は、吐水ヘッド１２の近くに差し出された使用者の手を非接触で検知する。センサ１４は、手を検知している間、制御ユニット１１４に信号を送る。
【００１９】
温水管１１６は、一端は給湯器（不図示）に接続され、他端は弁ユニット１０８に接続され、給湯器で温められた水（湯水）を弁ユニット１０８に供給する。冷水管１１８は、一端は上水道（不図示）に接続され、他端は弁ユニット１０８に接続され、水（冷水）を弁ユニット１０８に供給する。
【００２０】
弁ユニット１０８は、温水管１１６から供給される温水と、冷水管１１８から供給される冷水とをレバー１１２によって設定された比率で混合する。すなわち、弁ユニット１０８は、湯水混合弁として機能する。
【００２１】
制御ユニット１１４は、基板１３０と、制御回路１３２と、電源回路１３４と、を含む。制御回路１３２および電源回路１３４は、基板１３０上に実装される。制御回路１３２は、電気駆動弁１２０の動作を制御する。制御回路１３２は、センサ１４から信号を受け取ると、電気駆動弁１２０に開弁指示を送り、電気駆動弁１２０に開弁動作を開始させる。また、制御ユニット１１４は、センサ１４から信号を受け取らなくなると、電気駆動弁１２０に閉弁指示を送り、電気駆動弁１２０に閉弁動作を開始させる。また、制御回路１３２は、表示部１６の表示を制御する。制御回路１３２は、本実施の形態では、水栓装置１０の動作状態に応じた色や光り方で表示部１６を点灯表示させる。電源回路１３４は、商用電源からの交流電力を直流電力に変換し、電気駆動弁１２０に供給する。なお、制御ユニット１１４は、蓄電池やバックアップ電池（例えば乾電池）、給水管１１０を流れる水の流れによって発電する発電機などを含んでいてもよい。この場合、蓄電池、バックアップ電池、または発電機から電気駆動弁１２０に電力が供給されてもよい。
【００２２】
給水管１１０は、吐水ヘッド１２への給水路を構成する。給水管１１０は、手動吐水用給水管１１０ａと、自動吐水用給水管１１０ｂと、共通給水管である給水ホース１１０ｃと、を含む。手動吐水用給水管１１０ａは、一端が弁ユニット１０８に接続され、他端が給水ホース１１０ｃに接続される。レバー１１２が操作されると、弁ユニット１０８は手動吐水用給水管１１０ａの流路を開閉する。自動吐水用給水管１１０ｂは、一端が弁ユニット１０８に接続され、他端が給水ホース１１０ｃに接続される。弁ユニット１０８は、自動吐水用給水管１１０ｂを常に開く。
【００２３】
電気駆動弁１２０は、例えば電磁弁や電動弁であり、自動吐水用給水管１１０ｂに設けられる。電気駆動弁１２０は、制御ユニット１１４に制御されて、自動吐水用給水管１１０ｂの流路を開閉する。電気駆動弁１２０によって自動吐水用給水管１１０ｂの流路が開くと、弁ユニット１０８で混合された水が自動吐水用給水管１１０ｂを流れ、給水ホース１１０ｃを通じて吐水ヘッド１２に流入し、吐水ヘッド１２から吐水される。
【００２４】
レバー１１２は、レバー式の操作部であり、吐水ヘッド１２から吐水される水の温度を調節するときに操作される。またレバー１１２は、手動操作で吐水させるときに、その流量を調節するために操作される。レバー１１２を左右に回動させると、弁ユニット１０８において混合される冷水と湯水の比率が変化し、弁ユニット１０８から自動吐水用給水管１１０ｂおよび手動吐水用給水管１１０ａのそれぞれに供給される水の温度、すなわち吐水ヘッド１２から吐水される水の温度が調節される。
【００２５】
レバー１１２を前後に傾動させると、上述のように手動吐水用給水管１１０ａの流路が開閉する。レバー１１２を傾動させることによって手動吐水用給水管１１０ａが開くと、弁ユニット１０８で混合された水が手動吐水用給水管１１０ａを流れ、給水ホース１１０ｃを通じて吐水ヘッド１２に流入し、吐水ヘッド１２から吐水される。レバー１１２の傾動量により、給水ホース１１０ｃを介して吐水ヘッド１２から吐水される水の流量（止水状態も含む）が調節される。
【００２６】
図３〜８は、水栓装置１０を示す図である。図３は、水栓装置１０の透視斜視図である。図４、５は、ベース１２２とその周辺を示す斜視図である。図５は、制御ユニット１１４と制御ユニットカバー３６とが分解された状態を示す。図６は、ベース１２２とその周辺を示す上面図である。図６では、制御ユニットカバー３６を取り外した状態を示す。また図６では、排水栓操作部５６、ワイヤー５８および給水ホース１１０ｃの表示を省略している。図７は、ホースガイド３２とその周辺を示す斜視図である。図８は、水栓装置１０を左側下方から見た透視斜視図である。
【００２７】
水栓装置１０は、ベース１２２と、ホースガイド３２と、制御ユニットカバー３６と、排水栓操作部５６と、外装カバー６０と、をさらに含む。
【００２８】
ベース１２２は、底板部１２５と、右側壁部１２６と、左側壁部１２７と、後壁部１２８と、を含む。底板部１２５は、平面視で略矩形であり、その長手方向は左右方向と略平行となる。
【００２９】
右側壁部１２６と左側壁部１２７は同じ高さに形成される。右側壁部１２６はその上端に、左側壁部１２７とは反対側に突出する取付部１２６ａを有する。取付部１２６ａには、上下に貫通する挿通孔１２６ｂが形成されている。同様に、左側壁部１２７はその上端に、右側壁部１２６とは反対側に突出する取付部１２７ａを有する。取付部１２７ａには、上下に貫通する挿通孔１２７ｂが形成されている。取付部１２６ａの挿通孔１２６ｂと取付部１２７ａの挿通孔１２７ｂとにネジを挿入してミラーキャビネット１０４の底部に設けられたネジ穴（不図示）に螺入することにより、ベース１２２がミラーキャビネット１０４に取り付けられる。ベース１２２は特に、洗面ボウル１０２より上方に、洗面ボウル１０２から離間して設けられる。
【００３０】
後壁部１２８には、２つの挿通孔が形成されている。これらの挿通孔にネジ４０，４２を挿入してバックガード１０６に設けられたネジ穴（不図示）に螺入することにより、ベース１２２はバックガード１０６にも固定される。
【００３１】
ヘッドホルダー２０は、ベース１２２の底板部１２５に取り付けられる。ヘッドホルダー２０と対向するベース１２２の底板部１２５の部分にはベース孔１２５ａが形成され、ヘッドホルダー２０には対応するホルダー孔２０ａが形成されている。
【００３２】
給水ホース１１０ｃは、可撓性をもつ素材により構成される。給水ホース１１０ｃは、ベース孔１２５ａおよびホルダー孔２０ａを挿通して吐水ヘッド１２に接続される。
【００３３】
ホースガイド３２は、筒状の本体部３２ａと、本体部３２ａの外周から外側に突出する板状の取付部３２ｂ，３２ｃと、含む。本体部３２ａには、給水ホース１１０ｃが挿通される。本体部３２ａは、給水ホース１１０ｃを強制的に湾曲させ、その一端を吐水ヘッド１２にその他端を電気駆動弁１２０に向けて案内する。取付部３２ｂ，３２ｃの各挿通孔にネジ４４，４６を通してベース１２２のネジ穴に螺合することにより、ホースガイド３２はベース１２２に固定される。なお、後述のように、取付部３２ｂは、制御ユニットカバー３６の取付部３６ｂ（後述）と供締めされる。
【００３４】
ベース１２２は、底板部１２５の上面に立設された立壁部１２９を有する。立壁部１２９は、平面視で略Ｌ字状に屈曲しており、右側壁部１２６と後壁部１２８とに結合されている。この立壁部１２９と、右側壁部１２６と、後壁部１２８と、底板部１２５とによって上面が開いた箱状の収容部５０が形成される。収容部５０には、制御ユニット１１４が収容される。
【００３５】
制御ユニット１１４は、支持容器１３６をさらに含む。支持容器１３６は、上面が開いた背の低い箱状の容器である。支持容器１３６には、制御回路と電源回路とが実装された基板１３０（図３〜８では不図示）が収容されている。基板１３０は、支持容器１３６に流し込まれた固化したモールド樹脂１４０に覆われている。図３〜８では、制御回路と表示部１６とを有線接続するためのコネクタや、制御回路とセンサ１４とを有線接続するためのコネクタや、電源回路と商用電源とを接続するための電源コード１３１や、制御回路または電源回路の素子の一部だけがモールド樹脂１４０から突出しており、視認できる。
【００３６】
支持容器１３６と収容部５０とは、決められた向きでのみ支持容器１３６が収容部５０に収容されるよう形成される。具体的には、支持容器１３６と収容部５０とは、平面視において、支持容器１３６と、収容部５０の収容スペースとが略相似形で、かつ、平面視において、支持容器１３６と、収容部５０の収容スペースとの隙間が比較的狭く、かつ、平面視において、支持容器１３６と、収容部５０の収容スペースとが左右非対称となるよう形成される。
【００３７】
また、収容部５０は不図示の係止部を有する。支持容器１３６の側面と収容部５０の係止部とが係止することにより、支持容器１３６が意図せず収容部５０から抜けてしまうのを抑止できる。
【００３８】
制御ユニットカバー３６は、収容部５０の開口を覆うよう収容部５０に固定される。制御ユニットカバー３６は、その弾性係合片３６ａが立壁部１２９の係合孔１２９ａに係合（スナップフィット）することにより収容部５０に仮止めされる。また、制御ユニットカバー３６は、上下に貫通する挿通孔が形成された取付部３６ｂを有する。この取付部３６ｂの挿通孔とホースガイド３２の取付部３２ｂの挿通孔とにネジ４４を挿入してベース１２２に設けられたネジ穴（不図示）に螺入することにより、制御ユニットカバー３６がベース１２２に取り付けられる。つまり、ホースガイド３２の取付部３２ｂと、制御ユニットカバー３６の取付部３６ｂとは供締めされる。これにより、制御ユニットカバー３６の取付部３６ｂを固定するためのネジとホースガイド３２の取付部３２ｂを固定するためのネジとを共通にでき、部品点数を減らすことができる。なお、上述のように制御ユニットカバー３６はベース１２２に仮止めされているため、ネジ止めしやすい。
【００３９】
電源コード１３１は、ブッシュ５４を有する。ブッシュ５４には、コードを環囲し、コードに向かって凹んだ環状の凹部５４ａが形成されている。電源コード１３１は、ブッシュ５４の凹部５４ａが立壁部１２９の縁に嵌まり、制御ユニットカバー３６の縁がブッシュ５４を押さえつけるよう凹部５４ａに嵌まることにより、収容部５０（すなわちベース１２２）に固定される。
【００４０】
排水栓操作部５６は、棒状の部材であり、ベース１２２に取り付けられる。排水栓操作部５６は特に、一端が底板部１２５より下側に突出し、他端が底板部１２５より上側に突出するよう底板部１２５に取り付けられる。ワイヤー５８は、バックガード１０６の裏側を通って、その一端が排水栓操作部５６に取り付けられ、その他端が排水栓１０７（図３〜８では不図示）に取り付けられる。ユーザが、底板部１２５より下側に突出する排水栓操作部５６の部分（ひいてはワイヤー５８）を引っ張ることにより、排水栓１０７が操作されて排水口１０２ａが開閉する。
【００４１】
ワイヤー５８は、洗面化粧台１００の施工時に施工作業者によって取り付けられる。したがって、ホースガイド３２の下を通るようワイヤー５８が取り付けられてしまう場合がありうる。この場合、ワイヤー５８が狭い空間で屈曲し、スムーズな移動がしにくくなるため、排水口１０２ａを開閉するために排水栓操作部５６を操作するのに必要な力が大きくなる。すなわち、排水栓操作部５６の操作性が低くなる。
【００４２】
これに対し本実施の形態では、後壁部１２８は、周囲よりも背の高い背高部１２８ａを有する。背高部１２８ａは特に、ベース１２２の後ろ側に位置するホースガイド３２の部分と前後方向で対向するよう設けられる。これにより、ワイヤー５８が取り付けられる排水栓操作部５６の部分とホースガイド３２の下側の空間とが背高部１２８ａによって遮られる。したがって、ホースガイドの下を通るようワイヤー５８が取り付けられてしまうのを抑止できる。
【００４３】
手動吐水用給水管１１０ａと弁ユニット１０８とは、それらとは別部材の係止部材６２を、それらの接続部分に左右方向から（図８では左から）差し込むことによって係止されるよう構成される。これにより、ホースガイド３２を避けるように左側下方から斜めに工具を差し込むことによって係止部材６２を取り外すことができる。すなわち、水栓装置１０が取り付けられた状態でも手動吐水用給水管１１０ａを比較的容易に取り外すことができる。
【００４４】
外装カバー６０は、左右に長いカバーであり、ミラーキャビネット１０４の下方に取り付けられる。これにより、ユーザに視認されないようベース１２２や弁ユニット１０８を隠すことができる。
【００４５】
以上説明した本実施の形態に係る洗面化粧台１００によると、制御ユニット１１４は、ミラーキャビネット１０４に固定されたベース１２２に保持される。言い換えると、制御ユニット１１４は、洗面ボウル１０２より上方に洗面ボウル１０２から離間して設けられたベース１２２に保持される。すなわち、制御ユニット１１４は、洗面ボウル１０２の下方ではなく、洗面ボウル１０２の上方に設けられる。したがって、ベースキャビネット１０５の収納スペースが広くなる。また、ベースキャビネット１０５に物品を収容するとき、あるいはベースキャビネット１０５から物品を取り出すときに物品等が制御ユニット１１４に関する配線に引っかかるおそれがなくなる。また、制御ユニット１１４が水栓装置１０から吐水される水で濡れて故障するのを抑止できる。
【００４６】
以上、実施の形態に係る洗面化粧台について説明した。この実施の形態は例示であり、その各構成要素の組み合わせにいろいろな変形例が可能なこと、またそうした変形例も本発明の範囲にあることは当業者に理解されるところである。
【００４７】
（変形例１）
実施の形態では、吐水ヘッド１２がヘッドホルダー２０に対して着脱可能である場合について説明したが、これに限られない。吐水ヘッド１２は、ヘッドホルダー２０に着脱できないよう固定されてもよい。あるいは、水栓装置１０がヘッドホルダー２０を有しないで、吐水ヘッド１２がベース１２２（例えば底板部１２５）に着脱できないよう固定されてもよい。
【００４８】
（変形例２）
実施の形態では、ベース１２２がミラーキャビネット１０４およびバックガード１０６に固定される場合について説明したが、これに限られない。ベース１２２は、ミラーキャビネット１０４だけに固定されても、バックガード１０６だけに固定されてもよい。
【００４９】
以上、本発明をいくつかの実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【００５０】
以上の記載から、下記の発明が認識される。
本発明のある態様の洗面化粧台は、吐水ヘッドと、吐水ヘッドを保持するベースと、吐水ヘッドへの給水路を開閉する電気駆動弁を制御する制御ユニットと、吐水ヘッドから吐水される水を受けるための洗面ボウルと、洗面ボウルより上方に設けられるキャビネットと、を備える。ベースは、キャビネットに固定され、制御ユニットは、ベースに保持される。この態様によると、制御ユニットは、洗面ボウルより上方に設けられるキャビネットに固定されるベースに保持される。すなわち、制御ユニットは、洗面台の下方には設けられず、洗面台の上方に設けられる。
【００５１】
本発明の別の態様もまた、洗面化粧台である。この洗面化粧台は、吐水ヘッドと、吐水ヘッドを保持するベースと、吐水ヘッドへの給水路を開閉する電気駆動弁を制御する制御ユニットと、吐水ヘッドから吐水される水を受けるための洗面ボウルと、洗面ボウルから上方に立設されるバックガードと、を備える。ベースは、バックガードに固定され、制御ユニットは、ベースに保持される。すなわち、制御ユニットは、洗面台の下方には設けられず、洗面台の上方に設けられる。
【００５２】
制御ユニットはさらに、商用電源からの交流電力を直流電力に変換してもよい。
【００５３】
本発明のさらに別の態様は、水栓装置である。この装置は、吐水ヘッドと、吐水ヘッドを保持するベースと、吐水ヘッドへの給水路を開閉する電気駆動弁を制御する制御ユニットと、を備える。ベースは、吐水ヘッドから吐水される水を受けるための洗面ボウルより上方に洗面ボウルから離間して設けられ、制御ユニットは、ベースに保持される。この態様によると、制御ユニットは、洗面ボウルより上方に洗面ボウルから離間して設けられるベースに保持される。すなわち、制御ユニットは、洗面台の下方には設けられず、洗面台の上方に設けられる。
【符号の説明】
【００５４】
１０  水栓装置、  １２  吐水ヘッド、  １００  洗面化粧台、  １２０  電気駆動弁、  １２２  ベース、  １１４  制御ユニット、  １０１  洗面台、  １０２  洗面ボウル、  １０４  ミラーキャビネット。
【図１】
2020116462.tif 000003
【図２】
2020116462.tif 000004
【図３】
2020116462.tif 000005
【図４】
2020116462.tif 000006
【図５】
2020116462.tif 000007
【図６】
2020116462.tif 000008
【図７】
2020116462.tif 000009
【図８】
2020116462.tif 000010
【手続補正書】
【提出日】令和2年5月14日(2020.5.14)
【手続補正１】
【補正対象書類名】特許請求の範囲
【補正対象項目名】全文
【補正方法】変更
【補正の内容】
【特許請求の範囲】
【請求項１】
吐水ヘッドと、
前記吐水ヘッドへの給水路を開閉する電気駆動弁を制御する制御ユニットと、
温水および冷水を混合し、混合した水を前記給水路へ供給する湯水混合弁と、
前記吐水ヘッドから吐水される水を受けるための洗面ボウルと、
前記洗面ボウルから上方に立設されるバックガードに固定されるベースと、を備え、
前記制御ユニットは、前記ベースに保持され、
前記湯水混合弁は、前記ベースの外側、かつ、バックガードの前面側に配置されていることを特徴とする洗面化粧台。
【請求項２】
前記ベースは、前記湯水混合弁との間に壁部を有することを特徴とする請求項１に記載の洗面化粧台。